(57)【要約】【課題】イヤリングのようなアクセサリによる装飾効果を持つ眼鏡であって、装着感が良く、ファッション性に富み、収納を容易にすることができる眼鏡を提供すること。【解決手段】レンズを把持するフレームの両側部に紐状体を取付け、紐状体のフレームと反対側の端部にアクセサリを取り付ける。アクセサリを５ｇ以上の重量として眼鏡を後方に引く力を持たせる。耳にかかる紐状体が触れているだけなので装着感が良く、アクセサリが耳の後ろでゆっくりと振動してファッション性に富み、耳かけ部材がないので収納を容易にすることができる。【選択図】図１
0003182852.tif 000002
【実用新案登録請求の範囲】
【請求項１】
レンズを把持するフレームの両側部の各々にその一端が取付けられた２つの紐状体と、
前記紐状体の前記フレームと反対側の端部に取付けられた２つのアクセサリとを備え、
固定形状の耳かけ部材を備えないことを特徴とする、眼鏡。
【請求項２】
前記アクセサリの各々が、５ｇ以上の重量を有することを特徴とする、請求項１に記載の眼鏡。
【請求項３】
前記フレームが前後方向に湾曲しており、前記２つの紐状体を前記フレームに接合する２つの点を結ぶ直線に対して、前記フレームの最前部が１０ｍｍ以上前方にあることを特徴とする、請求項１又は２に記載の眼鏡。
【請求項４】
２つのレンズの間に前記フレームに接するノーズパッドを備え、
前記ノーズパッドの先端は前記フレームに対して５ｍｍ以上後方にあることを特徴とする、請求項１〜３のいずれか１項に記載の眼鏡。
【考案の詳細な説明】
【技術分野】
【０００１】
本考案は、眼鏡、特にアクセサリによる装飾効果を持つ眼鏡に関するものである。
【背景技術】
【０００２】
イヤリングは、耳朶に開けた穴に通して、又は耳朶を挟んで装着される。しかし、金属アレルギーや耳朶への不快感などの問題がある。
この問題を解決し、同時に眼鏡の重心を後方に移動させて眼鏡装着時の安定性を増すものとして、特許文献１には眼鏡の耳かけ部材に垂らす眼鏡アクセサリが開示されている。
【０００３】
しかし、特許文献１に記載の眼鏡アクセサリには、以下の問題があった。
（１）眼鏡の装着は、従来のものと同様に、耳かけ部材を耳にかけるものである。アクセサリの重量を考慮すれば、必ずしも装着感の良いものではない。
（２）アクセサリは、耳かけ部材の最後尾から垂らされている。耳よりも後方に垂らされることとなり、イヤリングに比してファッション性が不十分である。
（３）フレーム及びレンズを含む眼鏡本体、耳かけ部材、アクセサリを有するため、耳かけ部材を折りたたんで眼鏡をしまう（例えば眼鏡ケースに収納する）際、眼鏡全体が大きくなり、手間がかかる。
【先行技術文献】
【特許文献】
【０００４】
【特許文献１】特開２００５−３７６１４号公報
【考案の概要】
【考案が解決しようとする課題】
【０００５】
解決しようとする課題は、イヤリングのようなアクセサリによる装飾効果を持つ眼鏡であって、装着感が良く、ファッション性に富み、収納を容易にすることができる眼鏡を提供することである。
【課題を解決するための手段】
【０００６】
本考案の眼鏡は、
レンズを把持するフレームの両側部の各々にその一端が取付けられた２つの紐状体と、
前記紐状体の前記フレームと反対側の端部に取付けられた２つのアクセサリとを備え、
固定形状の耳かけ部材を備えないことを特徴とする。
【０００７】
フレーム及びレンズを含む眼鏡本体と、アクセサリの取付けられた紐状体とからなる眼鏡である。
装着時には、紐状体が耳に接する、硬質の耳かけ部材に比して、装着感が良い。
アクセサリが紐状体と共に耳の真下に垂れており、ファッション性が高い。
耳かけ部材がなく、眼鏡本体、アクセサリ及び巻くことのできる紐状体のみである。収納を容易にすることができる。
ここで「眼鏡」とは、視力を調整するためのレンズを有するものに限らず、減光のためのガラスを用いたサングラス、レンズに替えて素通しのガラス板を用いたいわゆる伊達眼鏡をも含む。すなわち、本明細書において「レンズ」とは、視力を調整するために光を屈折させるもののみでなく、光を屈折させないものをも含む。
「紐状体」とは、小さな力で伸張及び屈曲する線状の部材である。布製の紐、金属製のワイヤー、金属製のチェーンが紐状体に含まれる。なお、紐状体にビーズ等の装飾を施してもよい。
「アクセサリ」は、いわゆる飾りである。クリスタルガラス、合成樹脂製の飾り、金属製の飾り、天然石、その他の物をアクセサリとすることができる。ファッション性の点で、紐状体の先端に取付けられて目立つものが好ましい。
【０００８】
本考案の眼鏡は、
前記アクセサリの各々が、５ｇ以上の重量を有することを特徴とする。
【０００９】
アクセサリの重量によって、紐状体を引き、眼鏡本体を顔面に付ける。
【００１０】
本考案の眼鏡は、
前記フレームが前後方向に湾曲しており、前記２つの紐状体ホルダを前記フレームに接合する２つの点を結ぶ直線に対して、前記フレームの最前部が１０ｍｍ以上前方にあることを特徴とする。
【００１１】
眼鏡本体の両端を顔の後方に引くので、眼鏡本体の中央部が顔に接して後方に動けなくなると装着時の安定性に欠けてしまう場合がある。眼鏡本体の中央部を湾曲させて前方に張り出させることで、これを予防する。なお、レンズはフレームに把持されるので、フレームが湾曲していれば、眼鏡本体が湾曲していると考えられる。
【００１２】
本考案の眼鏡は、
２つのレンズの間に前記フレームに接するノーズパッドを備え、
前記ノーズパッドの先端は前記フレームに対して５ｍｍ以上後方にあることを特徴とする。
【００１３】
ノーズパッドを十分に高いものとして、フレームの中央を前方に配する。上述と同様に装着時の安定性を保つものである。
【考案の効果】
【００１４】
本考案によれば、イヤリングのようなアクセサリによる装飾効果を持つ眼鏡であって、装着感が良く、ファッション性に富み、収納を容易にすることができる眼鏡を提供することができる。
【図面の簡単な説明】
【００１５】
【図１】図１は、眼鏡を示す図である。
【図２】図２は、眼鏡の装着状態を示す図である。
【図３】図３は、眼鏡の構造を示す図である。
【図４】図４は、眼鏡を上面から見た図である。
【図５】図５は、ノーズパッドを示す図である。
【考案を実施するための形態】
【００１６】
図１は、眼鏡を示す図である。
眼鏡１には、フレーム２とそれに把持されたレンズ３を含む眼鏡本体と、フレーム２の両側部に一端が取付けられ他端にアクセサリ５が取付けられた２つの紐状体４とが設けられている。フレーム２にはノーズパッド６が形成されている。
一例として、眼鏡１はサングラスであり、フレーム２は黒色の合成樹脂であり、レンズ３は視力を調整せずに減光し、紐状体４はステンレスワイヤーにビーズを通したものであり、アクセサリ５は光を反射するガラス製の多面体とする。きらびやかな印象となり、ファッション性の高いサングラスである。
【００１７】
図２は、眼鏡の装着状態を示す図である。
眼鏡本体を顔面に接し、紐状体４を耳にかける。アクセサリ５は、耳から真下に垂れる。アクセサリ５の重量によって紐状体４が引かれ、眼鏡本体を顔面に引きつける。硬質の耳かけ部材を用いずに眼鏡を装着することができる。硬質物の圧迫感がなく、装着感が良い。
アクセサリ５が取付けられた紐状体４の一端は、耳の上方を支点７として振動する。支点７は、イヤリングが取付けられる耳朶や、特許文献１に示された耳かけ部材の端部よりも上に存在する。紐状体４のうち振動する部分の長さは、イヤリングや特許文献１のものよりも長い。これにより、振動の周期が長くなり、アクセサリ５がゆっくりと振動する。落ち着きのあるファッション性の高いものとなる。
【００１８】
図３は、眼鏡の構造を示す図である。図は、眼鏡本体を裏側（顔のある側）から描いたものである。
フレーム２の裏側に、ノーズパッド６と、紐状体を係止する留め金８が設けられている。ノーズパッド６の形状、及び紐状体を係止する方法は、この図のものに限定されないが、図のように、フレームの一部を突出させてノーズパッドを形成し、留め金によって紐状体を係止することが好ましい。
紐状体４が引かれて眼鏡本体を顔面に引きつけるので、ノーズパッド６の眼鏡本体に対する位置が固定されることで、装着を安定させるからである。また、使用者の顔の形状等によって紐状体４の配される角度が相違するが、眼鏡本体を顔面に引きつけるように角度調整可能な留め金８によって、幅広い角度に対して装着を安定させるからである。
【００１９】
図４は、眼鏡を上面から見た図である。
フレーム２は湾曲している。フレーム２の最前部の突出長（図においてｄで示す）は、一例として１２ｍｍである。１０ｍｍ以上であることが好ましい。フレーム２が１点のみにおいて鼻の中央に接すると、２本の紐状体４の引く力が相違した場合に眼鏡本体が顔面と平行でなく傾いてしまう場合もあり、これを予防するためである。
【００２０】
図５は、ノーズパッドを示す図である。
ノーズパッド６の高さ（図においてｈで示す）は、一例として７ｍｍである。５ｍｍ以上であることが好ましい。フレーム２の平坦部（２つのノーズパッドの間の部分）の鼻の中央に接する部分を減らし又はなくし、２つのノーズパッド６によって確実に支えられることで（１点でなく２点で支えられることで）、２本の紐状体４の引く力が相違した場合に眼鏡本体が顔面と平行でなく傾いてしまうことを予防するためである。
【産業上の利用可能性】
【００２１】
イヤリングのようなアクセサリによる装飾効果を持つ眼鏡であって、装着感が良く、ファッション性に富む眼鏡であり、多くの女性による活用が考えられる。
【符号の説明】
【００２２】
１    眼鏡
２    フレーム
３    レンズ
４    紐状体
５    アクセサリ
６    ノーズパッド
７    支点
８    止め金
【図１】
0003182852.tif 000003
【図２】
0003182852.tif 000004
【図３】
0003182852.tif 000005
【図４】
0003182852.tif 000006
【図５】
0003182852.tif 000007